(57)【要約】【課題】上前及び下前の台襟間の隙間が見えたり、台襟が浮き上がらないようにしながら、首回りの寸法の調節を可能にするとともに、襟元のデザイン性を高めることができるようにしたシャツを提供すること。【解決手段】下前の台襟１１ｂに取り付けたボタン１２ａを、上前の台襟１１ａに形成したボタン穴１３ａに止着するようにしたシャツにおいて、下前の台襟１１ｂのボタン１２ａを取り付けた位置より外側（反中心側）の位置に副ボタン１２ｂを取り付けるとともに、上前の台襟１１ａから台襟突出片１１ｃを延出させ、この台襟突出片１１ｃに副ボタン穴１３ｂを形成するようにする。【選択図】図１
2014205931.tif 000002
【特許請求の範囲】
【請求項１】
下前の台襟に取り付けたボタンを、上前の台襟に形成したボタン穴に止着するようにしたシャツにおいて、下前の台襟の前記ボタンを取り付けた位置より外側の位置に副ボタンを取り付けるとともに、上前の台襟から台襟突出片を延出させ、該台襟突出片に副ボタン穴を形成したことを特徴とするシャツ。
【請求項２】
下前の前立てに取り付けたボタンを止着する上前の前立てに形成したボタン穴のうち、少なくとも最上部のボタン穴の切り込みを水平方向に形成してなることを特徴とする請求項１記載のシャツ。
【発明の詳細な説明】
【技術分野】
【０００１】
本発明は、シャツに関し、特に、首回りの寸法の調節を可能にしたシャツに関するものである。
【背景技術】
【０００２】
従来、ワイシャツ、スポーツシャツ、ブラウス等のシャツ（本明細書において、単に、「シャツ」という。）においては、着用時に上前及び下前の台襟間の隙間が見えたり、台襟が浮き上がることがなく、襟元がしっくりするように、下前の台襟に取り付けたボタンを、上前の台襟に形成したボタン穴に止着することができるようにされている。
【０００３】
ところで、従来のシャツにおいて、下前の台襟に取り付けられるボタンは、糸によってしっかりと取り付けられているため、首回りの寸法の調節ができず、このため、首回りがきつい場合には、台襟のボタンを留めないで着用されていた。
【０００４】
しかしながら、デザイン的に開襟して着用するシャツを除き、台襟のボタンを留めないでシャツを着用した場合、上前及び下前の台襟間の隙間が見えたり、台襟が浮き上がることによって、襟元がだらしない印象になるという問題があった。
【０００５】
この問題に対処するため、下前の台襟に取り付けられるボタンの取付位置を調節できるようにすることにより、首回りの寸法の調節を可能にしたシャツが提案されている（特許文献１〜２参照。）。
【先行技術文献】
【特許文献】
【０００６】
【特許文献１】特開平７−２７８９０１号公報
【特許文献２】特開２００６−３７３２６号公報
【発明の概要】
【発明が解決しようとする課題】
【０００７】
しかしながら、上記首回りの寸法の調節を可能にしたシャツは、襟元のデザインがすっきりしないという問題があった。
【０００８】
本発明は、上記従来のシャツの有する問題点に鑑み、上前及び下前の台襟間の隙間が見えたり、台襟が浮き上がらないようにしながら、首回りの寸法の調節を可能にするとともに、襟元のデザイン性を高めることができるようにしたシャツを提供することを目的とする。
【課題を解決するための手段】
【０００９】
上記目的を達成するため、本発明のシャツは、下前の台襟に取り付けたボタンを、上前の台襟に形成したボタン穴に止着するようにしたシャツにおいて、下前の台襟の前記ボタンを取り付けた位置より外側の位置に副ボタンを取り付けるとともに、上前の台襟から台襟突出片を延出させ、該台襟突出片に副ボタン穴を形成したことを特徴とする。
【００１０】
下前の前立てに取り付けたボタンを止着する上前の前立てに形成したボタン穴のうち、少なくとも最上部のボタン穴の切り込みを水平方向に形成するようにすることができる。
【発明の効果】
【００１１】
本発明のシャツによれば、下前の台襟の前記ボタンを取り付けた位置より外側の位置に副ボタンを取り付けるとともに、上前の台襟から台襟突出片を延出させ、該台襟突出片に副ボタン穴を形成することにより、通常は、下前の台襟に取り付けたボタンを上前の台襟に形成したボタン穴に、副ボタンを副ボタン穴に、それぞれを止着するようにし、首回りの寸法を大きくしたいときは、下前の台襟に取り付けたボタンを副ボタン穴に止着するようにする。
これにより、上前及び下前の台襟間の隙間が見えたり、台襟が浮き上がらないようにしながら、首回りの寸法の調節を可能にするとともに、襟元のデザイン性を高めることができる
【００１２】
また、下前の前立てに取り付けたボタンを止着する上前の前立てに形成したボタン穴のうち、少なくとも最上部のボタン穴の切り込みを水平方向に形成するようにすることにより、下前の前立てに対する上前の前立ての水平方向の偏倚可能な距離を大きくすることができ、上前及び下前の前立てに皺や引き攣れが生じることを防止することができる。
【図面の簡単な説明】
【００１３】
【図１】本発明のシャツの一実施例を示し、（ａ）は通常の使用状態を、（ｂ）は首回りの寸法を大きくした使用状態を示すシャツの正面図である。
【発明を実施するための形態】
【００１４】
以下、本発明のシャツの実施の形態を、図面に基づいて説明する。
【００１５】
図１に、本発明のシャツの一実施例を示す。
このシャツ１は、下前の台襟１１ｂに取り付けたボタン１２ａを、上前の台襟１１ａに形成したボタン穴１３ａに止着するようにしたシャツにおいて、下前の台襟１１ｂのボタン１２ａを取り付けた位置より外側（反中心側）の位置に副ボタン１２ｂを取り付けるとともに、上前の台襟１１ａから台襟突出片１１ｃを延出させ、この台襟突出片１１ｃに副ボタン穴１３ｂを形成するようにする。
【００１６】
この場合、ボタン１２ａ及び副ボタン１２ｂの間隔が、首回りの寸法の調節量となるが、通常、１０〜３０ｍｍ、好ましくは、１５〜２５ｍｍ、より好ましくは、２０ｍｍ程度に設定するようにし、これに合わせて、副ボタン穴１３ｂを形成する台襟突出片１１ｃの長さ（上前の台襟１１ａからの突出長さ）を設定する（台襟突出片１１ｃの長さは、副ボタン穴１３ｂを形成できる長さがあれば足りる。）ようにする。
また、台襟突出片１１ｃの幅は、下前の台襟１１ｂの幅（上前の台襟１１ａの幅と同一。）と同じか、若干狭く設定するようにする。
【００１７】
このシャツ１は、通常は、図１（ａ）に示すように、下前の台襟１１ｂに取り付けたボタン１２ａを上前の台襟１１ａに形成したボタン穴１３ａに、副ボタン１２ｂを副ボタン穴１３ｂに、それぞれを止着するようにし、首回りの寸法を大きくしたいときは、図１（ｂ）に示すように、下前の台襟１１ｂに取り付けたボタン１２ａを副ボタン穴１３ｂに止着するようにする。
これにより、上前及び下前の台襟１１ａ、１１ｂ間の隙間が見えたり、台襟１１ａ、１１ｂが浮き上がらないようにしながら、首回りの寸法の調節を可能にするとともに、襟元のデザイン性を高めることができる
【００１８】
さらに、このシャツ１は、下前の前立て１４ｂに取り付けたボタン１５ａ、１５ｂ、・・・を止着する上前の前立て１４ａに形成したボタン穴１６ａ、１６ｂ、・・・のうち、少なくとも最上部のボタン穴１６ａの切り込みを水平方向に形成するようにすることができる。
【００１９】
この場合、最上部のボタン穴１６ａの切り込みの長さは、通常のボタン穴の切り込みの長さである、ボタンの直径＋厚さと同じか、それよりも長く、例えば、ボタンの直径＋厚さの１．１〜１．３倍、好ましくは、１．２倍程度に設定することができる。
【００２０】
これにより、下前の前立て１４ｂに対する上前の前立て１４ａの水平方向の偏倚可能な距離を大きくすることができ、上前及び下前の前立て１４ａ、１４ｂに皺や引き攣れが生じることを防止することができる。
【００２１】
以上、本発明のシャツについて、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のシャツは、上前及び下前の台襟間の隙間が見えたり、台襟が浮き上がらないようにしながら、首回りの寸法の調節を可能にするとともに、襟元のデザイン性を高めることができるという特性を有していることから、ワイシャツに好適に適用することができるほか、スポーツシャツ、ブラウス等の各種シャツにも適用することができる。
【符号の説明】
【００２３】
１  シャツ
１１ａ  上前の台襟
１１ｂ  下前の台襟
１２ａ  ボタン
１２ｂ  副ボタン
１３ａ  ボタン穴
１３ｂ  副ボタン穴
１４ａ  上前の前立て
１４ｂ  下前の前立て
１５ａ  ボタン
１５ｂ  ボタン
１６ａ  ボタン穴
１６ｂ  ボタン穴
【図１】
2014205931.tif 000003